(57)【要約】【課題】色再現性の高い画像を表示することができる液晶表示装置を提供する。【解決手段】液晶表示素子１の観察側とは反対側に、青色ＬＥＤと、青色以外の色の蛍光を発する蛍光物質が分散された蛍光層とを有し、前記青色ＬＥＤが発する青色光と前記蛍光物質が発する青色以外の色の蛍光とからなる擬似白色光を出射する擬似白色発光素子２２を備え、前記擬似白色発光素子２２からの出射光を導光板２１により導いて液晶表示素子１に向けて照射する面光源２０を配置し、前記擬似白色発光素子２２から前記液晶表示素子１の観察側の面までの光経路中に、緑と赤の間の波長帯域の光を吸収する急峻な吸収特性を有する多層膜からなる吸収フィルタ２８を配置した。【選択図】      図１
2008085232.tif 000002
【特許請求の範囲】
【請求項１】
光の透過を制御する複数の画素がマトリックス状に配列された液晶表示素子と、
前記液晶表示素子の観察側とは反対側に配置され、青色発光ダイオードと、前記青色発光ダイオードの出射側に設けられ、青色以外の色の蛍光を発する蛍光層とを有し、前記青色発光ダイオードが発する青色光と前記蛍光層が発する青色以外の色の蛍光とからなる擬似白色光を出射する擬似白色発光素子を備え、前記擬似白色発光素子からの出射光を前記液晶表示素子に向けて照射する面光源と、
前記擬似白色発光素子から前記液晶表示素子の観察側の面までの光経路の少なくとも１箇所に配置され、緑と赤の間の波長帯域の光を吸収する急峻な吸収特性を有する多層膜からなる吸収フィルタと、
を備えることを特徴とする液晶表示装置。
【請求項２】
擬似白色発光素子の蛍光層は、黄色の蛍光を発する黄色蛍光物質を含有することを特徴とする請求項１に記載の液晶表示装置。
【請求項３】
吸収フィルタは、５８５±２０ｎｍの波長帯域に吸収ピークを有していることを特徴とする請求項１または２に記載の液晶表示装置。
【請求項４】
液晶表示素子は、その内部に封入された液晶層よりも観察側とは反対側に、複数の画素の予め定めた領域にそれぞれ対応させて設けられ、前記観察側から入射した光を反射して前記観察側へ出射する反射表示部と、前記観察側とは反対側から入射した光を透過させて前記観察側へ出射する前記反射表示部以外の透過表示部とを前記複数の画素毎に形成するための反射膜を備えた反射／透過型表示素子であり、吸収フィルタは、擬似白色発光素子から前記液晶表示素子の前記反射膜までの光経路に配置されていることを特徴とする請求項１に記載の液晶表示装置。
【発明の詳細な説明】
【技術分野】
【０００１】
この発明は、液晶表示装置に関する。
【背景技術】
【０００２】
液晶表示装置は、光の透過を制御する複数の画素がマトリックス状に配列された液晶表示素子と、前記液晶表示素子の観察側とは反対側に配置され、前記液晶表示素子に向けて照明光を照射する面光源とにより構成されている（特許文献１参照）。
【０００３】
前記液晶表示装置の面光源には、消費電力を少なくするために、発光ダイオードからなる発光素子を備え、前記発光素子からの出射光を前記液晶表示素子に向けて照射するものが利用されている。
【０００４】
前記発光ダイオードを用いた面光源においては、前記発光ダイオードの種類及び数を低減するために、青色発光ダイオードと、前記青色発光ダイオードの出射側に設けられ、透明材中に青色以外の色（例えば黄色）の蛍光を発する蛍光物質が分散された蛍光層とを有し、前記青色発光ダイオードが発する青色光と前記蛍光物質が発する青色以外の色の蛍光とにより擬似白色光を出射する擬似白色発光素子が利用されている（特許文献２参照）。
【特許文献１】特開２０００―１１２３８０号公報
【特許文献２】特開２００６―１０８０７６号公報
【発明の開示】
【発明が解決しようとする課題】
【０００５】
しかし、前記青色発光ダイオードと、青以外の色の蛍光を発する蛍光物質が分散された蛍光層とにより擬似白色光を出射する擬似白色発光素子を用いた面光源を備えた液晶表示装置は、色再現性の高い画像を表示することができなかった。
【０００６】
この発明は、色再現性の高い画像を表示することができる液晶表示装置を提供することを目的としたものである。
【課題を解決するための手段】
【０００７】
この発明の液晶表示装置は、
光の透過を制御する複数の画素がマトリックス状に配列された液晶表示素子と、
前記液晶表示素子の観察側とは反対側に配置され、青色発光ダイオードと、前記青色発光ダイオードの出射側に設けられ、青色以外の色の蛍光を発する蛍光層とを有し、前記青色発光ダイオードが発する青色光と前記蛍光層が発する青色以外の色の蛍光とからなる擬似白色光を出射する擬似白色発光素子を備え、前記擬似白色発光素子からの出射光を前記液晶表示素子に向けて照射する面光源と、
前記擬似白色発光素子から前記液晶表示素子の観察側の面までの光経路の少なくとも１箇所に配置され、緑と赤の間の波長帯域の光を吸収する急峻な吸収特性を有する多層膜からなる吸収フィルタと、
を備えることを特徴とする。
【発明の効果】
【０００８】
この発明の液晶表示装置は、前記擬似白色発光素子から前記液晶表示素子の観察側の面までの光経路の少なくとも１箇所に、緑と赤の間の波長帯域の光を吸収する急峻な吸収特性を有する多層膜からなる吸収フィルタを配置しているため、色再現性の高い画像を表示することができる。
【発明を実施するための最良の形態】
【０００９】
（第１の実施形態）
図１はこの発明の第１の実施例を示す液晶表示装置の斜視図、図２は前記液晶表示装置の一部分の拡大断面図であり、この液晶表示装置は、光の透過を制御する複数の画素１４がマトリックス状に配列された液晶表示素子１と、前記液晶表示素子１の観察側（図１及び図２において上側）とは反対側に配置され、前記液晶表示素子１に向けて照明光を照射する面光源２０とを備えている。
【００１０】
前記液晶表示素子１は、対向配置された一対の透明基板２，３間に液晶層４が封入され、前記一対の基板２，３の互いに対向する内面にそれぞれ、複数の画素１４をマトリックス状に配列させて形成するための透明電極５，７が設けられ、前記一対の基板２，３の外面にそれぞれ偏光板１２，１３が配置された構成となっている。
【００１１】
この液晶表示素子１は、薄膜トランジスタ（以下、ＴＦＴという）を能動素子とするアクティブマトリックス液晶表示素子であり、前記一対の基板２，３の一方、例えば観察側とは反対側の基板２の内面に、行方向（画面の左右方向）及び列方向（画面の上下方向）にマトリックス状に配列された複数の画素電極５と、これらの画素電極５にそれぞれ対応した複数のＴＦＴ６と、各行の複数のＴＦＴ６にゲート信号を供給する複数の走査線及び各列の複数のＴＦＴ６にデータ信号を供給する複数の信号線（いずれも図示せず）とが設けられ、他方の基板、つまり観察側の基板３の内面に、前記複数の画素電極５に対向する一枚膜状の対向電極７が設けられている。
【００１２】
なお、図２ではＴＦＴ６を簡略化しているが、このＴＦＴ６は、反対側基板２の基板面上に形成されたゲート電極と、前記基板面上の略全体に前記ゲート電極を覆って設けられた透明なゲート絶縁膜と、前記ゲート絶縁膜の上に前記ゲート電極と対向させて形成されたｉ型半導体膜と、このｉ型半導体膜の両側部の上にそれそれｎ型半導体膜を介して形成されたドレイン電極及びソース電極とからなっており、前記複数の画素電極５は、前記ゲート絶縁膜の上に形成され、これらの画素電極５にそれぞれ対応したＴＦＴ６のソース電極に接続されている。
【００１３】
また、前記複数の走査線は、前記反対側基板２の基板面上に、各画素電極行毎にその一側に沿わせて形成され、各行の複数のＴＦＴ６のゲート電極にそれぞれ接続されており、前記複数の信号線は、前記ゲート絶縁膜の上に、各画素電極列毎にその一側に沿わせて形成され、各列の複数のＴＦＴのドレイン電極にそれぞれ接続されている。
【００１４】
なお、前記反対側基板２は、図１に示したように、観察側基板３の外方に突出する張出部２ａを有しており、前記反対側基板２の内面に設けられた複数の走査線及び信号線は、前記張出部２ａに搭載されたＬＳＩからなる表示ドライバ１８に接続されている。
【００１５】
一方、前記観察側基板３の内面には、前記複数の画素電極５と前記対向電極７とが互いに対向する領域からなる複数の画素１０にそれぞれ対応させて赤、緑、青の３色のカラーフィルタ８Ｒ，８Ｇ，８Ｂが設けられており、その上に、前記対向電極７が形成されている。
【００１６】
さらに、前記一対の基板２，３の内面にはそれぞれ、前記電極５，７を覆って配向膜９，１０が形成されている。
【００１７】
そして、前記一対の基板２，３は、前記複数の画素１０の配列領域を囲む枠状のシール材１１（図１参照）を介して接合されており、これらの基板２，３間の前記シール材１１で囲まれた領域に液晶層４が封入されている。
【００１８】
この液晶表示素子１は、前記液晶層４の液晶分子を前記一対の基板２，３間においてツイスト配向させたＴＮ型またはＳＴＮ型、液晶分子を基板２，３面に対して実質的に垂直に配向させた垂直配向型、液晶分子を分子長軸を一方向に揃えて基板２，３面と実質的に平行に配向させた非ツイストの水平配向型、液晶分子をベンド配向させるベンド配向型のいずれか、あるいは強誘電性または反強誘電性液晶表示素子であり、前記一対の基板２，３の外面の偏光板１２，１３は、それぞれの透過軸を予め方向に向けて配置されている。
【００１９】
なお、この液晶表示素子１は、一対の基板２，３の内面にそれぞれ複数の画素１４を形成するための電極５，７を設けたものであるが、液晶表示素子は、一対の基板のいずれか一方の内面に、複数の画素を形成するための第１の電極と、それよりも液晶層側に前記第１の電極と絶縁して形成された複数の細長電極部を有する第２の電極とを設け、これらの電極間に横電界（基板面に沿う方向の電界）を生じさせて液晶分子の配向状態を変化させる横電界制御型のものでもよい。
【００２０】
また、前記面光源２０は、板状の透明部材の少なくとも１つの端面に光を入射させる入射端面２１ａが形成され、２つの板面の一方に前記入射端面２１ａから入射した光の出射面２１ｂが形成され、他方の板面に前記入射端面２１ａから入射した光を前記出射面２１ｂに向けて反射する反射面２１ｃが形成され、前記出射面２１ｂを前記液晶表示素子１の観察側とは反対側の面に対向させて配置された導光板２１と、この導光板２１の入射端面２１ａに対向させて配置され、前記導光板２１の入射端面２１ａに向けて光を出射する複数（図１では３個）の擬似白色発光素子２２とからなっている。
【００２１】
図３は前記面光源２０の発光素子配置側の拡大側面図であり、この面光源２０は、前記複数の擬似白色発光素子２２からの出射光（擬似白色発光）を、前記導光板２１により図に矢線で示したように導いて、前記液晶表示素子１に向けて照射する。
【００２２】
なお、この実施例の導光板２１は、前記入射端面２１ａから入射した光を、前記反射面２１ｃと外気（空気）との界面で光を全反射するものであるが、前記導光板２１は、前記反射面２１ｃに反射膜を設けたものでもよい。
【００２３】
図４は前記擬似白色発光素子２２の拡大断面図であり、この擬似白色発光素子２２は、樹脂成形品からなる１つの面が開放した箱状の筐体２３の内底面の中央部に、青色光を発する青色発光ダイオード（以下、青色ＬＥＤという）２４を、その出射面を前記筐体２３の開放面に向けて配置し、前記筐体２３内に、透明材（例えば透明樹脂）２６中に、前記青色ＬＥＤ２４が発する光により励起されて青色以外の色の蛍光を発する微粒子状の蛍光物質２７を分散された蛍光層２５を充填した構成のものである。
【００２４】
すなわち、この擬似白色発光素子２２は、青色ＬＥＤ２４と、前記青色ＬＥＤ２４の出射側に設けられ、透明材２６中に青色以外の色の蛍光を発する蛍光物質２７が分散された蛍光層２５とを有しており、前記青色ＬＥＤ２４が発する青色光と前記蛍光物質２７が発する青色以外の色の蛍光とからなる擬似白色光を出射する。
【００２５】
前記擬似白色発光素子２２の蛍光層２５に分散された蛍光物質２７は、黄色の蛍光を発する黄色蛍光物質であり、したがって、この擬似白色発光素子２２は、前記青色ＬＥＤ２４が発する青色光と、黄色蛍光物質２７が発する黄色蛍光とにより擬似白色光を出射する。
【００２６】
さらに、この液晶表示装置は、図１及び図３に示したように、前記面光源２０の導光板２１の入射端面２１ａと前記複数の擬似白色発光素子２２との間にそれぞれ配置され、緑と赤の間の波長帯域の光を吸収する急峻な吸収特性を有する多層膜からなる吸収フィルタ（以下、多層膜フィルタという）２８を備えている。この多層膜フィルタ２８は、多数枚の透明フィルムを積層したものであり、透過光を、各透明フィルムの界面により屈折させ、予め定めた波長帯域の光を吸収する。
【００２７】
この実施例では、前記多層膜フィルタ２８として、５８５±２０ｎｍの波長帯域に吸収ピークを有するものを備えている。
【００２８】
図５は前記多層膜フィルタ２８の吸収特性図であり、この多層膜フィルタ２８は、５８５±２０ｎｍの波長帯域の光を高い吸収率で吸収し、他の波長帯域の光を高い透過率で透過させる特性を有している。
【００２９】
前記多層膜フィルタ２８は、前記複数の擬似白色発光素子２２の出射面（蛍光層２５の表面）に一体的に設けられるか、或いは、前記導光板２１の入射端面２１ａに、前記複数の擬似白色発光素子２２の配置位置にそれぞれ対応させて貼付けられている。なお、前記導光板２１の入射端面２１ａに多層膜フィルタ２８を貼付ける場合は、前記多層膜フィルタ２８を、前記導光板２１の入射端面２１ａの全体にわたって設けてもよい。
【００３０】
この液晶表示装置は、前記液晶表示素子１の観察側とは反対側に配置された面光源２０に、青色ＬＥＤ２４と、青以外の色の蛍光を発する蛍光物質２７が分散された蛍光層２５とを有する擬似白色発光素子２２を備えさせ、且つ、前記面光源２０の導光板２１の入射端面２１ａと前記複数の擬似白色発光素子２２との間に、緑と赤の間の波長帯域の光を吸収する急峻な吸収特性を有する多層膜フィルタ２８を配置しているため、色再現性の高い画像を表示することができる。
【００３１】
この実施例では、前記擬似白色発光素子２２として、黄色の蛍光を発する黄色蛍光物質２７が分散された蛍光層２５を有するものを備え、また前記多層膜フィルタ２８として、５８５±２０ｎｍの波長帯域に吸収ピークを有するものを備えているため、充分に色再現性の高い画像を表示することができる。
【００３２】
すなわち、図６は、擬似白色発光素子２２の出射光の分光分布図、図７は、前記擬似白色発光素子２２から出射し、さらに前記多層膜フィルタ２８を透過した光の分光分布図である。
【００３３】
図６のように、青色ＬＥＤ２４と、黄色蛍光物質２７が分散された蛍光層２５とを有する擬似白色発光素子２２から出射する光は、４５０ｎｍ付近に急峻な輝度ピークをもち、５３０〜５８０ｎｍ付近に緩やかな輝度ピークをもった光であり、緑色光と赤色光の色純度が低い。
【００３４】
それに対して、前記擬似白色発光素子２２から出射し、さらに前記多層膜フィルタ２８を透過した光は、図６に示した分光分布の光から、前記多層膜フィルタ２８により緑と赤の間の波長帯域（５８５±２０ｎｍ）の光を吸収された光であり、この光は、図７のように、４５０ｎｍ付近と、５５０ｎｍ付近と、６５０ｎｍ付近の各波長帯域毎に独立した輝度ピークをもった、青、緑、赤の各色の色純度が高い光、つまり前記擬似白色光よりも白色に近い光である。
【００３５】
そして、この実施例の液晶表示装置は、前記面光源２０の導光板２１の入射端面２１ａと前記複数の擬似白色発光素子２２との間に前記多層膜フィルタ２８を配置し、前記擬似白色発光素子２２から出射し、さらに前記多層膜フィルタ２８により緑と赤の間の波長帯域（５８５±２０ｎｍ）の光が吸収された、より白色に近い（青、緑、赤の各色の色純度が高い）照明光を、前記面光源２０の導光板２１により導いて前記液晶表示素子１へ照射するようにしているため、前記液晶表示素子１の各画素１４から前記赤、緑、青の３色のカラーフィルタ８Ｒ，８Ｇ，８Ｂにより着色されて出射する赤、緑、青の光の色純度を高くすることができる。
【００３６】
図８は、前記多層膜フィルタ２８を備えない比較例の液晶表示装置（擬似白色発光素子２２から出射した擬似白色光をそのまま液晶表示素子１に向けて照射する液晶表示装置）の青、緑、赤の各画素の出射光の分光分布図、図９は、上記実施例の液晶表示装置の青、緑、赤の各画素の出射光の分光分布図であり、前記多層膜フィルタ２８を備えた実施例の液晶表示装置は、前記比較例の液晶表示装置に比べて、出射光の赤、緑、青の光の色純度が高い。
【００３７】
また、図１０は、前記比較例の液晶表示装置と上記実施例の液晶表示装置の出射光のＣＩＥ色度図であり、実施例の液晶表示装置の出射光のｘ．ｙコーディネイト値は、前記比較例の液晶表示装置の出射光に比べて、ＮＴＳＣ規格に近い値である。
【００３８】
したがって、上記実施例の液晶表示装置によれば、色再現性の高い画像を表示することができる。
【００３９】
なお、上記実施例では、前記面光源２０の導光板２１の入射端面２１ａと前記複数の擬似白色発光素子２２との間に前記多層膜フィルタ２８を配置しているが、前記多層膜フィルタ２８は、前記擬似白色発光素子２２から前記液晶表示素子１の観察側の面（観察側偏光板１３の外面）までの光経路内であれば、他の個所に配置してもよい。
【００４０】
（第２の実施形態）
図１１はこの発明の第２の実施例を示す液晶表示装置の一部分の拡大断面図であり、この実施例は、前記面光源２０の導光板２１と前記液晶表示素子１との間に前記多層膜フィルタ２８を配置したものである。
【００４１】
なお、この実施例では、前記導光板２１の出射面２０ａに多層膜フィルタ２８を配置しているが、前記多層膜フィルタ２８は、前記液晶表示素子１の観察側とは反対側の偏光板１２の外面に配置してもよい。
【００４２】
（第３の実施形態）
図１２はこの発明の第３の実施例を示す液晶表示装置の一部分の拡大断面図であり、この実施例は、前記液晶表示素子１の一対の基板２，３のいずれか一方とその外面の偏光板との間（図では観察側基板３と観察側偏光板１３との間）に前記多層膜フィルタ２８を配置したものである。
【００４３】
なお、図１２のように、前記液晶表示素子１の観察側基板３と観察側偏光板１３との間に前記多層膜フィルタ２８を配置した場合は、前記擬似白色発光素子２２から出射した前記擬似白色光がそのまま導光板２０により導かれて前記液晶表示素子１に入射するが、前記液晶表示素子１の各画素１４から出射する光が、前記多層膜フィルタ２８により緑と赤の間の波長帯域（５８５±２０ｎｍ）の光を吸収され、青、緑、赤の各色の色純度が高い光となって観察側へ出射するため、色再現性の高い画像を表示することができる。
【００４４】
（第４の実施形態）
図１３はこの発明の第４の実施例を示す液晶表示装置の一部分の拡大断面図であり、この実施例は、前記液晶表示素子１に、表示のコントラスト及び視野を向上させるための位相差板１５を備えさせたものであり、この実施例では、前記液晶表示素子１の観察側基板３と観察側偏光板１３との間に前記位相差板１５を設け、この位相差板１５と観察側偏光板１３との間に前記多層膜フィルタ２８を配置している。
【００４５】
なお、この実施例では、前記液晶表示素子１の観察側基板３と観察側偏光板１３との間に位相差板１５を設けているが、前記液晶表示素子１の観察側とは反対側の基板２とその外面に配置された反対側偏光板１２との間に前記位相差板１５を設け、この位相差板１５と前記反対側偏光板１２との間に前記多層膜フィルタ２８を配置してもよい。
【００４６】
また、この実施例では、前記液晶表示素子１に１枚の位相差板１５を備えさせているが、位相差板の数は２枚でもよく、その場合は、２枚の位相差板を重ねて配置し、その間に前記多層膜フィルタ２８を配置してもよい。
【００４７】
（第５の実施形態）
図１４はこの発明の第５の実施例を示す液晶表示装置の一部分の拡大断面図であり、この実施例は、前記液晶表示素子１を、その内部（一対の基板２，３間）に封入された液晶層４よりも観察側とは反対側、例えば観察側とは反対側の基板２の内面に、複数の画素１４の予め定めた領域（図では画素１４の略半分の領域）にそれぞれ対応させて設けられ、観察側から入射した光を反射して前記観察側へ出射する反射表示部１４ａと、前記観察側とは反対側から入射した光を透過させて前記観察側へ出射する前記反射表示部１４ａ以外の透過表示部１４ｂとを前記複数の画素１４毎に形成するための反射膜１６を備えた反射／透過型表示素子とし、前記多層膜フィルタ２８を、前記面光源２０の擬似白色発光素子２２から前記液晶表示素子１の前記反射膜１６までの光経路の１個所、例えば前記面光源２０の導光板２１の出射面２１ｂに配置したものである。
【００４８】
なお、この実施例では、前記液晶表示素子１の観察側基板３の内面に、各画素１４の反射表示部１４ａにそれぞれ対応させて、透明な液晶層厚調整膜１７を設け、観察側から入射した光が液晶層４を往復して透過して前記観察側へ出射する前記反射表示部１４ａの液晶の複屈折異方性Δｎと液晶層厚ｄとの積Δｎｄの値を、前記透過表示部１４ｂのΔｎｄの実質的に１／２に設定している。
【００４９】
この実施例の液晶表示装置は、前記液晶表示素子１を反射／透過型表示素子としているため、液晶表示装置の使用環境の光である外光（白色光）を利用する反射表示と、前記面光源２０からの照射光を利用する透過表示とを行なうことができる。
【００５０】
そして、この実施例では、前記多層膜フィルタ２８を、前記擬似白色発光素子２２から前記液晶表示素子１の前記反射膜１６までの光経路に配置しているため、前記液晶表示素子１に観察側から入射し、前記反射膜１６により反射させて前記観察側へ出射する光が前記多層膜フィルタ２８を通ることは無く、したがって、前記外光を利用する反射表示の色再現性を低下させることなく、前記面光源２０からの照射光を利用する透過表示の色再現性を高くすることができる。
【００５１】
（他の実施形態）
なお、上述した各実施例では、前記擬似白色発光素子２２から前記液晶表示素子１の観察側の面までの光経路中の１箇所に、緑と赤の間の波長帯域の光を吸収する急峻な吸収特性を有する多層膜フィルタ２８を配置しているが、前記擬似白色発光素子２２から前記液晶表示素子１の観察側の面までの光経路中の複数箇所（２箇所または３個所）に、緑と赤の間の波長帯域の光を吸収する急峻な吸収特性を有する多層膜フィルタを配置してもよく、その場合は、前記複数箇所に配置された各多層膜フィルタのトータルの吸収特性を、上記実施例における１つの多層膜フィルタ２８の吸収特性と実質的に同じにすればよい。
【００５２】
また、上述した各実施例の面光源２０は、擬似白色発光素子２２からの出射光を導光板２１により導いて液晶表示素子１に照射するものであるが、擬似白色発光素子２２からの出射光を液晶表示素子１に向けて照射するための導光手段は、他の構成のものでもよい。
【００５３】
さらに、上述した各実施例では、擬似白色発光素子２２として、黄色蛍光物質２７を分散した蛍光層２５を有するものを備えているが、擬似白色発光素子は、緑色の蛍光を発する緑色蛍光物質と、赤色の蛍光を発する赤色蛍光物質とを分散した蛍光層を有するものでもよい。
【図面の簡単な説明】
【００５４】
【図１】この発明の第１の実施例を示す液晶表示装置の斜視図。
【図２】第１の実施例の液晶表示装置の一部分の拡大断面図。
【図３】第１の実施例における面光源の発光素子配置側の拡大側面図。
【図４】擬似白色発光素子の拡大断面図。
【図５】多層膜フィルタの吸収特性図。
【図６】青色ＬＥＤと、黄色蛍光物質が分散された蛍光層とを有する擬似白色発光素子の出射光の分光分布図。
【図７】擬似白色発光素子から出射し、さらに多層膜フィルタを透過した光の分光分布図。
【図８】多層膜フィルタを備えない比較例の液晶表示装置の出射光の分光分布図。
【図９】第１の実施例の液晶表示装置の出射光の分光分布図。
【図１０】前記比較例の液晶表示装置と第１の実施例の液晶表示装置の出射光のＣＩＥ色度図。
【図１１】この発明の第２の実施例を示す液晶表示装置の一部分の拡大断面図。
【図１２】この発明の第３の実施例を示す液晶表示装置の一部分の拡大断面図。
【図１３】この発明の第４の実施例を示す液晶表示装置の一部分の拡大断面図。
【図１４】この発明の第５の実施例を示す液晶表示装置の一部分の拡大断面図。
【符号の説明】
【００５５】
１…液晶表示素子、２，３…基板、４…液晶層、５…画素電極、６…ＴＦＴ、７…対向電極、８Ｒ，８Ｇ，８Ｂ…カラーフィルタ、１２，１３…偏光板、１４…画素、１４ａ…反射表示部、１４ｂ…透過表示部、１５…位相差板、１６…反射膜、１７…液晶層厚調整膜、２０…面光源、２１…導光板、２２…擬似白色発光素子、２４…青色ＬＥＤ、２５…蛍光層、２６…透明材、２７…蛍光物質、２８…多層膜フィルタ。
【図１】
2008085232.tif 000003
【図２】
2008085232.tif 000004
【図３】
2008085232.tif 000005
【図４】
2008085232.tif 000006
【図５】
2008085232.tif 000007
【図６】
2008085232.tif 000008
【図７】
2008085232.tif 000009
【図８】
2008085232.tif 000010
【図９】
2008085232.tif 000011
【図１０】
2008085232.tif 000012
【図１１】
2008085232.tif 000013
【図１２】
2008085232.tif 000014
【図１３】
2008085232.tif 000015
【図１４】
2008085232.tif 000016